(57)【要約】      （修正有）【課題】体全体に付着したウイルスや菌等を消毒・除菌・殺菌等するために、潜る人にミストを噴霧する略半円アーチ形状の噴霧装置を提供する。【解決手段】潜る人にミストを噴霧する略半円アーチ形状の噴霧装置１００であって、噴霧装置の入口および出口に配置されるミストを噴霧する複数の噴霧ノズル部１１と、入口と出口とを連結して、トンネル形状の通路を形成するシート部材１２と、を有し、複数の噴霧ノズル部は、通路を潜る人に向けて、ミストを噴霧する。【選択図】図１
0003229539.tif 000002
【実用新案登録請求の範囲】
【請求項１】
潜る人にミストを噴霧する略半円アーチ形状の噴霧装置であって、
前記噴霧装置の入口および出口に配置される前記ミストを噴霧する複数の噴霧ノズル部と、
前記入口と前記出口とを連結して、トンネル形状の通路を形成するシート部材と、
を有し、
複数の前記噴霧ノズル部は、前記通路を潜る前記人に向けて、前記ミストを噴霧する、
ことを特徴とする、噴霧装置。
【請求項２】
略半円アーチ形状に曲げられた２つの管部材をさらに有し、
２つの前記管部材は、前記入口と前記出口とにそれぞれ配置され、複数の前記噴霧ノズル部をそれぞれ取り付けられ、該管部材の内部で噴霧する液体を輸送して該噴霧ノズル部に該液体を供給し、
前記噴霧ノズル部は、前記管部材から供給された前記液体を霧状にした前記ミストを噴霧する、
ことを特徴とする、請求項１に記載の噴霧装置。
【請求項３】
複数の前記噴霧ノズル部は、消毒用、除菌用または殺菌用の前記液体を霧状にした前記ミストを噴霧する、
ことを特徴とする、請求項１または請求項２のいずれか一項に記載の噴霧装置。
【考案の詳細な説明】
【技術分野】
【０００１】
本考案は、潜る人にミストを噴霧する略半円アーチ形状の噴霧装置である。本考案は、除菌用または殺菌用の液体を霧状にしたミストを噴霧する略半円アーチ形状の噴霧装置に関するものであってもよい。
【背景技術】
【０００２】
体に付着したウイルスや菌等を除菌・殺菌等するために、除菌用液体または殺菌用液体等を霧状にしたミストを噴霧することが知られている。特許文献１では、弱酸性の次亜塩素酸水をチューブで配管された霧化する混合噴霧装置と、チューブで配管されコンプレッサーと、室内の雰囲気を撹拌するためのブロワとからなることを特徴とするウイルス感染拡大予防対策噴霧殺菌装置に関する技術を開示している。特許文献２では、次亜塩素酸水を貯蔵した水槽容器内の当該次亜塩素酸水を超音波振動によって超微細霧化し、ノズルを介して噴霧することによりビニルハウスを含む室内の雰囲気の除菌消臭を行う次亜塩素酸水噴霧装置であって、前記水槽容器の次亜塩素酸水内に、トレー容器の底面に超音波振動子を配してなる超微細霧化発生装置を浸漬浮遊させてなることを特徴とした次亜塩素酸水噴霧装置に関する技術を開示している。
【先行技術文献】
【特許文献】
【０００３】
【特許文献１】登録実用新案公報第３１５６２８８号公報
【特許文献２】特開２０２０−６２２８９号公報
【考案の概要】
【考案が解決しようとする課題】
【０００４】
体全体に付着したウイルスや菌等を除菌・殺菌等するためには、体全体に除菌用液体または殺菌用液体等を霧状にしたミストを噴霧する必要がある。また、体全体に付着したウイルスや菌等を除菌・殺菌等するためには、体全体に除菌用液体または殺菌用液体等を霧状にしたミストを効率的に噴霧する方法が求められている。
【０００５】
本考案は、体全体に付着したウイルスや菌等を除菌・殺菌等するために、潜る人にミストを噴霧する略半円アーチ形状の噴霧装置を提供することを目的とする。
【課題を解決するための手段】
【０００６】
上記課題を解決するために、本考案の一つの実施形態は、潜る人にミストを噴霧する略半円アーチ形状の噴霧装置であって、前記噴霧装置の入口および出口に配置される前記ミストを噴霧する複数の噴霧ノズル部と、前記入口と前記出口とを連結して、トンネル形状の通路を形成するシート部材と、を有し、複数の前記噴霧ノズル部は、前記通路を潜る前記人に向けて、前記ミストを噴霧する、ことを特徴とする、噴霧装置を提供する。
【０００７】
本考案の他の実施形態は、上記の噴霧装置であって、略半円アーチ形状に曲げられた２つの管部材をさらに有し、２つの前記管部材は、前記入口と前記出口とにそれぞれ配置され、複数の前記噴霧ノズル部をそれぞれ取り付けられ、該管部材の内部で噴霧する液体を輸送して該噴霧ノズル部に該液体を供給し、前記噴霧ノズル部は、前記管部材から供給された前記液体を霧状にした前記ミストを噴霧する、ことを特徴とする噴霧装置であってもよい。
【０００８】
本考案の他の実施形態は、上記のいずれか１つの噴霧装置であって、複数の前記噴霧ノズル部は、消毒用、除菌用または殺菌用の前記液体を霧状にした前記ミストを噴霧する、ことを特徴とする噴霧装置であってもよい。
【考案の効果】
【０００９】
本考案に係る噴霧装置によれば、体全体に付着したウイルスや菌等を消毒・除菌・殺菌等するために、潜る人にミストを噴霧する略半円アーチ形状の噴霧装置を提供することができる。また、本考案に係る噴霧装置によれば、潜る人にミストを噴霧する略半円アーチ形状の噴霧装置であるため、体全体に付着したウイルスや菌等を効率的に消毒・除菌・殺菌等することができる。また、本考案に係る噴霧装置によれば、潜る人にミストを噴霧する略半円アーチ形状の噴霧装置であるため、体全体に付着したウイルスや菌等を効率的に消毒・除菌・殺菌等することができ、消毒液・除菌液・殺菌液等の使用量を低減することができる。
【図面の簡単な説明】
【００１０】
【図１】本考案の実施形態に係る噴霧装置の一例を説明する説明図である。
【図２】本考案の実施形態に係る噴霧装置の噴霧ノズル部の一例を説明する説明図である。
【図３】本考案の実施形態に係る噴霧装置の使用例の一例を説明する説明図である。
【考案を実施するための形態】
【００１１】
実施形態に係る噴霧装置の例を用いて、本考案を説明する。なお、本考案は、以後に説明する噴霧装置以外でも、消毒・除菌・殺菌等するためにミストを噴霧するもの（装置、部品、システムなど）であれば、いずれのものにも用いることができる。なお、噴霧装置の大きさは、とくに限定されず、噴霧する対象（人、ものなど）の大きさに応じて、設計、実験、計算などで予め定められる大きさとすることができる。
【００１２】
下記にて、各構成を具体的に説明する。
【００１３】
図１乃至図３を用いて、本考案の実施形態に係る噴霧装置の構成を説明する。ここで、図１は、本考案の実施形態に係る噴霧装置１００の一例を説明する説明図である。図２（ａ）は、本考案の実施形態に係る噴霧装置１００の噴霧ノズル部１１の一例を説明する説明図である。図２（ｂ）は、本考案の実施形態に係る噴霧装置１００の噴霧ノズル部１１の使用例（噴霧した状態）を説明する説明図である。図３は、本考案の実施形態に係る噴霧装置１００の使用例（店舗前に配置して、複数の人が使用する場合）の一例を説明する説明図である。なお、図１等に示す噴霧装置の構成等は一例であり、本考案は図１等に示す噴霧装置等に限定されるものではない。
【００１４】
図１に示すように、本考案に係る噴霧装置１００は、通路を潜る（略半円アーチの下を通る）人にミストを噴霧する略半円アーチ形状の装置である。本考案に係る噴霧装置１００は、略半円アーチ形状に曲げられた２つの管部材１０と、潜る人に向けてミストを噴霧する複数の噴霧ノズル部１１と、トンネル形状の通路を形成するシート部材１２と、を有する。本考案に係る噴霧装置１００は、複数の噴霧ノズル部を用いて、潜る人（使用者、利用者等）に、消毒用、除菌用または殺菌用の液体等を霧状にしたミストを噴霧する。これにより、本考案に係る噴霧装置１００は、通路を潜る（略半円アーチの下を通る）人の体全体に付着したウイルスや菌等を消毒・除菌・殺菌等することができる。なお、本考案に係る噴霧装置１００は、噴霧する液体はとくに限定されない。本考案に係る噴霧装置１００は、消毒用、除菌用または殺菌用の液体等（たとえば次亜塩素酸水）を霧状にしたミストを噴霧するものであってもよい。
【００１５】
管部材１０は、図１に示すように、本実施形態では、略半円アーチ形状に曲げられた２つの中空円筒の部材である。管部材１０は、噴霧装置の入口と出口とにそれぞれ配置され、複数の噴霧ノズル部をそれぞれ取り付けられ、管部材の内部で噴霧する液体を輸送して噴霧ノズル部に液体を供給する。管部材１０は、ポンプ（不図示）を用いて、貯水タンク（不図示）から噴霧する液体を供給される。なお、本考案に係る管部材１０の形状および大きさは、使用時の噴霧する対象に応じて、設計、実験、計算などで予め定められる形状および大きさとすることができる。
【００１６】
噴霧ノズル部１１は、図１および図２に示すように、本実施形態では、通路を潜る人に向けて、ミスト（図２のＭＳ）を噴霧するものである。噴霧ノズル部１１は、噴霧装置の入口および出口に複数配置される。複数の噴霧ノズル部１１は、噴霧装置の管部材１０に所望の間隔で取り付けられる。なお、所望の間隔は、使用時の噴霧する対象に応じて、設計、実験、計算などで予め定められる間隔とすることができる。また、噴霧ノズル部１１が液体を霧状にして噴霧する方法は、公知の技術を利用することができる。
【００１７】
シート部材１２は、図１に示すように、本実施形態では、略シート形状の部材である。シート部材１２は、噴霧装置の入口と出口とを連結して（２つの管部材１０を連結して）、トンネル形状の通路を形成する。なお、本考案に係るシート部材１２の材質、形状および大きさは、使用時の噴霧する対象に応じて、設計、実験、計算などで予め定められる材質、形状および大きさとすることができる。
【００１８】
以上のとおり、本考案に係る噴霧装置によれば、複数の噴霧ノズル部を用いて、通路を潜る（略半円アーチの下を通る）人に液体を霧状にしたミストを噴霧することができるので、通路を潜る人の体全体（頭髪、衣類、靴など）に付着したウイルスや菌等を消毒・除菌・殺菌等することができる。また、本考案に係る噴霧装置によれば、通路を潜る人の体全体に付着したウイルスや菌等を消毒・除菌・殺菌等することができるので、効率的に消毒・除菌・殺菌等することができる。また、本考案に係る噴霧装置によれば、シート部材を用いて略密閉状態のトンネル形状の通路を形成することができるので、噴霧する範囲を所望の範囲に限定することができ、消毒液・除菌液・殺菌液等の使用量を低減することができる。
【００１９】
店舗の入口などに設置されているアルコール除菌スプレーは、手を用いて使用するため、全身を消毒・除菌・殺菌などができない場合があった。図３に示すように、本考案に係る噴霧装置によれば、不特定多数の人が集まる施設やスーパーなどでコロナウィルス・インフルエンザ等の感染予防すること（感染拡大を防止すること）を目的に、施設の入口に配置することで、不特定多数の人に順次、液体（消毒液・除菌液・殺菌液など）を噴霧することができる。これにより、本考案に係る噴霧装置によれば、不特定多数の人の全身を効率的に消毒・除菌・殺菌などすることができ、施設などを安心して利用できるようにすることができる。 
【００２０】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００２１】
１００  ：  噴霧装置
１０  ：  管部材
１１  ：  噴霧ノズル部
１２  ：  シート部材
ＭＳ  ：  ミスト
【図１】
0003229539.tif 000003
【図２】
0003229539.tif 000004
【図３】
0003229539.tif 000005
【手続補正書】
【提出日】令和2年9月12日(2020.9.12)
【手続補正１】
【補正対象書類名】実用新案登録請求の範囲
【補正対象項目名】請求項３
【補正方法】変更
【補正の内容】
【請求項３】
複数の前記噴霧ノズル部は、消毒用、除菌用または殺菌用の前記液体を霧状にした前記ミストを噴霧する、
ことを特徴とする、請求項２に記載の噴霧装置。